(57)【要約】【課題】電子マネーカードのエンドユーザが、自分で意図する絵柄等を電子マネーカードのカード面に表示し、これを宣伝、広告、証明、記念等に利用することができるようにした電子マネーカードを提供する。【解決手段】電子マネーカード１として使用するＩＣチップを内蔵した生カードの片面または両面に、電子マネーカードのエンドユーザが意図する絵柄１０を、写真、絵、文字、図形、記号等を組み合わせて電子データ化した画像情報により印刷を施すようにした。【選択図】図１
2009090515.tif 000002
【特許請求の範囲】
【請求項１】
電子マネーカードとして使用するＩＣチップを内蔵した生カードの片面または両面に、電子マネーカードのエンドユーザが意図する絵柄を、写真、絵、文字、図形、記号等を組み合わせて電子データ化した画像情報により印刷を施すようにしたことを特徴とする電子マネーカード。
【発明の詳細な説明】
【技術分野】
【０００１】
本発明は、電子マネーカードの片面または両面に、エンドユーザの要望に応じて絵柄（写真、絵、文字、図形、記号等を含む）を印刷するようにした電子マネーカードに関する。
【背景技術】
【０００２】
近年、電子マネーカードを利用した金銭支払いシステムが普及しつつある。このシステムは、予め電子マネーカードに内蔵されたＩＣチップに電子マネー（金銭情報）を記憶しておき、例えば商品等の代金の支払いの際に、電子マネーカードを商店等に設置してある処理装置に装着することにより、ＩＣチップに記憶されているマネー情報を読み取って、減額処置することにより対価を支払うものである。
【０００３】
このような電子マネーカードによれば、現金を持ち歩かずに支払いができるというキャッシュレスの利点がある。この点では、従来から普及しているプリペイドカードやクレジットカードと同様の利点を有するが、電子マネーカードはＩＣチップに記憶された限度内で対価の支払いを手軽に行なうことができ、また、エンドユーザの入金により電子マネーの増額をＩＣチップに記憶する等、蓄積額の増減を何回でも行うことができる点で、プリペイドカードやクレジットカードよりも優れている。さらに、電子マネーカードのＩＣチップに電子マネー以外の情報を付加したり、その情報をパーソナルコンピュータ等で読み取ることができる等、拡張性に富むものであり、将来的にも大きな需要が見込まれている。
【０００４】
ところで、上記の電子マネーカードは、既存のクレジットカード等と同様の大きさの矩形平面を有するが、そのカード面に表示されたデザインは、電子マネーカードの発行元や製作者等によって決められ、エンドユーザがそのデザインを意図するものではなく、電子マネーカードを宣伝、広告、証明、記念等の用途に広く利用することができるというものではなかった。
【０００５】
なお、従来の技術として、特許文献１には、本人確認を行うための電子カードに関する不正使用を防止するために、電子カードの所持者の認証用顔写真をカード面に表示したものが記載されている。しかしながら、この電子カードの顔写真の表示は、エンドユーザが自分の要望に応じて自由に意図した絵柄等をカード面に印刷したものではなく、その用途も、本人の認証確認を行なうことに限定されていた。
【特許文献１】特開２００１−１３００６４号公報
【発明の開示】
【発明が解決しようとする課題】
【０００６】
本発明は、上記の事情に鑑みてなされたもので、電子マネーカードのエンドユーザが、自分で意図する絵柄等（写真、絵、文字、図形、記号等を含む）を電子マネーカードのカード面に表示し、これを宣伝、広告、証明、記念等に利用することができるようにした電子マネーカードを提供することを目的とする。
【課題を解決するための手段】
【０００７】
上記の問題を解決するために、本発明における請求項１の電子マネーカードは、電子マネーカードとして使用するＩＣチップを内蔵した生カードの片面または両面に、電子マネーカードのエンドユーザが意図する絵柄を、写真、絵、文字、図形、記号等を組み合わせて電子データ化した画像情報により印刷を施すようにしたことを特徴とする。
【発明の効果】
【０００８】
本発明による電子マネーカードは、ＩＣチップを内蔵した生カードの片面または両面に、電子マネーカードのエンドユーザが意図する絵柄を、写真、絵、文字、図形、記号等を組み合わせて電子データ化した画像情報により印刷を施すようにしてあるため、この電子マネーカードをエンドユーザが所持して、電子マネーとして使用する他に、エンドユーザの要望に応じて、宣伝、広告、証明、記念等に関する表示を施して、商売や自己アピール等に広く利用することが可能となる。
【発明を実施するための最良の形態】
【０００９】
以下、本発明の実施例について図面を参照しながら説明する。
【実施例１】
【００１０】
本発明による電子マネーカードは、図１(ａ)、（ｂ）に示すように、電子マネーカード１に使用するＩＣチップ（不図示）を内蔵した生カードの片面または両面に、電子マネーカードのエンドユーザが意図する絵柄１０を、写真、絵、文字、図形、記号等を組み合わせて電子データ化した画像情報により印刷を施してなるものである。
【００１１】
このような電子マネーカードについて詳細に述べる。図１(ａ)、(ｂ)は本発明による電子マネーカード１の一例を示すものであり、図１(ａ)はその電子マネーカード１の一面（表面２とする）を示し、図１(ｂ)はその他面（裏面３とする）を示すものである。
【００１２】
本実施例は、図１(ａ)に示すように、電子マネーカード１の表面２に、このカードの発行元の商標４、発行元の会社名、住所等５、電子マネーカードの識別番号６、電子マネーカードの所持者の氏名欄７、電子マネーカードに関する問い合わせ先８、電子マネーカードの使用上の注意事項等９が表示されている。このように電子マネーカード１の表面２には、主として、このカードの発行元に関する事項や使用上の注意等を表示することとなるが、この表面２にもエンドユーザの意図による絵柄（写真、絵、文字、図形、記号等を含む）を表示するようにしてもよい。
【００１３】
本実施例においては、図１（ｂ）に示すように、電子マネーカード１の裏面３をエンドユーザの意図による絵柄（写真、絵、文字、図形、記号等を含む）１０を表示する面としている。即ち、電子マネーカード１のエンドユーザの要望に応じて、何らかを記念するような表示を施したり、何らかの宣伝、広告等に関する表示を施すことにより、この電子マネーカード１を贈呈品として利用したり、商売や自己アピール等に積極的に利用することが可能となる。
【００１４】
本実施例による電子マネーカードの具体的な製造方法としては、エンドユーザの要望に応じてエンドユーザの意図による絵柄（写真、絵、文字、図形、記号等を含む）をデザインするものであり、具体的には、そのような絵柄は、エンドユーザの要望する写真等をスキャナで読み取ってデジタル化した画像情報や、デジタルカメラで撮影したデジタル画像情報をコンピュータ装置に入力したり、コンピュータ装置の画像ソフトウェア等を利用してデジタル画像を作成することによって得ることができる。そして、そのような電子データ化されたデジタル画像をコンピュータ装置の操作によって印刷装置に送り、印刷処理を実行する。
【００１５】
この印刷処理は、インクジェット式等の印刷方式で印刷処理を行うプリンタ装置等を使用することができる。その印刷の際には、予めＩＣチップが埋め込まれた生カード（印刷前の白紙のカード）を印刷装置に装填して、この生カードに印刷を行なうこととなる。
【００１６】
また、上記のＩＣチップは、ＩＣ（集積回路）を内蔵したパーソナルカードであって、書き換え可能な不揮発性メモリ等の内蔵記録媒体のほか、ＣＰＵ（中央演算処理ユニット）を内蔵しているものが使用され、外部との間で光信号または電気信号等を通じてデータの入出力を行うことが可能である。従って、このような電子マネーカードによれば、使用金額に応じて予め蓄積された電子マネーが減額となり、またエンドユーザの入金により電子マネーの増額をＩＣチップに記憶させることができ、さらにそのような電子マネーの増額又は減額に関する記録（使用日時、使用用途、金額等）をＩＣチップに情報として記憶させることが可能であり、その情報をパーソナルコンピュータ等で読み取ることも可能である。
【００１７】
さらには、電子マネーカードのＩＣチップに、電子マネーカードのエンドユーザの要望に応じて、上記の方法で印刷したカードの絵柄に関連した情報を記憶させるようにしてもよい。なお、ＩＣチップに記録する情報としては、下記に具体例として記載してあるように、電子マネーに関する金銭情報のほかに、宣伝、広告、証明、記念等に関する情報を含むものであり、これによって、電子マネーカードを代価の支払いに使用するほか、商売や自己アピール等の情報提供にも広く利用することが可能となる。
【００１８】
次に、図１（ｂ）、図２（ａ）〜(ｆ)に関し、本実施例の電子マネーカード１の裏面３に印刷された絵柄等について説明する。なお、これらの図に示す絵柄はあくまでも一例であって、本発明の電子マネーカードの構成を限定するものではない。
【００１９】
図１（ｂ）に表示された絵柄１０は、飲食店等で扱われるメニューの一例であり、店主等の要望によってデザイン化されたメニュー等を表示することにより、この電子マネーカード１を飲食店等の宣伝広告として利用することができる。その際、電子マネーカード１に印刷された絵柄１０に関連した情報として、ＩＣチップにその飲食店等で扱っているメニューや価格等、その飲食店の住所や他の宣伝広告内容を文字又は写真等で記録するようにしてもよい。この電子マネーカード１の所持者は、電子マネーカード１を本来の電子マネーとして使用するほか、パーソナルコンピュータ等によって電子マネーカード１のＩＣチップに記録された情報をモニターに再現し、又は用紙に印刷する等によって利用することが可能となる。
【００２０】
なお、このような電子マネーカード１のＩＣチップに記録された情報内容を利用することについては、本実施例による他の電子マネーカードにおいても同様に行うことができるため、以下の図２（ａ）〜(ｆ)に示す電子マネーカード１においてはその説明を省略する。
【００２１】
図２（ａ）に表示された絵柄１０は、人物の姿を写真等により表示した一例であり、例えば、営業活動の名刺代わりとして当人の写真等を表示したり、歌手や芸能人等の売り込みのためにその人物の写真等を表示し、この電子マネーカード１を贈呈したり売却することにより、自分をアピールする媒体として利用することが可能となる。この場合、電子マネーカード１に印刷された絵柄１０に関連した情報として、電子マネーカード１のＩＣチップに、芸能人のプロフィルや所属するプロダクションの紹介、さらには歌手の歌詞や楽譜、スポーツマンの記録、スポーツマンの所属チームの情報等を文字又は写真等で記録することも可能である。
【００２２】
図２（ｂ）に表示された絵柄１０は、写真、絵画等の一例であり、美術館の紹介や展覧会等の案内等の宣伝広告として利用することができる。その際、電子マネーカード１のＩＣチップに、その美術館や展覧会場等の住所や地図、展覧内容等を文字又は写真等で記録するようにしてもよい。
【００２３】
図２(ｃ)に表示された絵柄１０は、施設等の建物の一例であり、ホテル、学校、病院等の紹介や宣伝広告として利用することができる。その際、電子マネーカード１のＩＣチップに、そのホテル、学校、病院等の住所や地図、その他の内容を文字又は写真等で記録するようにしてもよい。
【００２４】
図２（ｄ）に表示された絵柄１０は、観光地の風景の一例であり、旅行会社等の宣伝広告として使用することができる。その際、電子マネーカード１のＩＣチップに、その観光地の案内や旅行会社等の宣伝広告内容を文字又は写真等で記録するようにしてもよい。
【００２５】
図２(ｅ)に表示された絵柄１０は、動物の姿を表示した写真等の一例であり、馬主が自分の馬を紹介したり、飼っているペットの写真等を表示するというような利用にも供することができる。その際、電子マネーカード１のＩＣチップに、その動物の血統、誕生日、その他の内容を文字又は写真等で記録するようにしてもよい。
【００２６】
図２(ｆ)に表示された絵柄１０は、何らかの記念に関する写真等の一例であり、結婚、誕生、入学、卒業、入賞等の記念内容を写真等で表示することにも利用することができる。その際、電子マネーカード１のＩＣチップに、その記念内容の種々の情報を文字又は写真等で記録するようにしてもよい。
【産業上の利用可能性】
【００２７】
本発明の電子マネーカードは、本来の電子マネーカードの使用方法として代金の支払いやチャージに利用する他、電子マネーカードのエンドユーザが、自分で意図する絵柄等を電子マネーカードのカード面に表示し、これを宣伝、広告、証明、記念等に利用することができるようにした電子マネーカードとして利用することが可能である。
【図面の簡単な説明】
【００２８】
【図１】（ａ）は本発明の実施例１における電子マネーカードの表面の表示内容を示す平面図であり、（ｂ）はその裏面の表示内容を示す平面図である。
【図２】（ａ）〜(ｆ)は本発明の実施例１における電子マネーカードの裏面に印刷した各種の絵柄等の表示内容を示す平面図である。
【符号の説明】
【００２９】
１  電子マネーカード
２  電子マネーカードの表面
３  電子マネーカードの裏面
４  発行元の商標
５  発行元の会社名、住所等
６  電子マネーカードの識別番号
７  電子マネーカードの所持者の氏名欄
８  電子マネーカードに関する問い合わせ先
９  電子マネーカードの使用上の注意事項等
１０  絵柄（写真、絵、文字、図形、記号等を含む）
【図１】
2009090515.tif 000003
【図２】
2009090515.tif 000004